(57)【特許請求の範囲】
【請求項１】
下面が開放された箱状の本体と、該本体とほぼ同じ長さで該本体内に収容された角度可変の反射板とを有し、
頂部がほぼ円弧状の断面ほぼ直角三角形状に形成された反射板の前記頂部の近傍に設けられて前記反射板を前記本体の端板に着脱可能に固定する固定手段と、
前記本体の端板の上下方向に設けられて前記反射板に設けた固定手段が係止する複数の係止穴と、
前記反射板の背面側に設けたソケット取付具、及び前記頂部の内側に前記端板に近接して設けたランプソケットとを有し、
前記反射板の固定手段に、背面側に設けた前記ソケット取付具に長手方向に摺動可能で常時端板側に付勢される可動軸を設け、該可動軸を前記本体の端板に設けた係止穴に着脱可能に挿入するように構成し、
前記反射板を前記本体内に収容してその長辺を本体の側板の開口部側に設けたヒンジに連結したことを特徴とする照明装置。
【請求項２】
前記可動軸につまみを設け、該つまみを反射板の内面に突出させて該反射板の内側から操作しうるように構成したことを特徴とする請求項１記載の照明装置。
【発明の詳細な説明】
【０００１】
【発明の属する技術分野】
本発明は、天井や壁などに設置され、特定の被照明物を照明する照明装置に係り、さらに詳しくは、例えば、教室の天井に設置されて壁面に設けた黒板全体を均一に照明する黒板灯などに実施することのできる照明装置に関するものである。
【０００２】
【従来の技術】
図６は従来のこの種照明装置の一例の斜視図、図７は図６の縦断面図、図８は図７のＢ−Ｂ断面図、図９は作用説明図である。
図において、１は、天板２、両側板３及び長手方向の両端部に設けられた端板４からなり、下面が開放された箱状の本体で、天板２の幅方向のほぼ中央部において本体１の長手方向には、Ｚ字状の複数の支持腕３０が設けられている。３１は支持腕３０の下部と側板４との間に設けられた底板で、この底板３１上には電装品３２が配設されており、底板３１の下面には本体１の長手方向の全長に亘る第３の反射板４７が取付けられている。
【０００３】
４５は両側縁部が本体１の側板３の下部と支持腕３０に固定され、本体の長手方向の全長に亘って配設された第２の反射板で、両端部には、端板４と所定の距離を隔てて斜め下方に向う支持板４６が設けられている。３３は本体１の端板４に固定されたソケット取付具で、このソケット取付具３３には、第２の反射板４５の下方で、かつ支持板４６の内側において、ランプソケット１６が取付けられている。
【０００４】
４０は第１の反射板で、ランプソケット１６の外周に対応する円弧状の頂部４１と、その一方の側に延設された短辺４２と、他方の側に延設された短辺４２より長い長辺４３とにより、断面ほぼ正三角形状に形成されており、両端部には側板４４が設けられている。
【０００５】
この第１の反射板４０は、頂部４１をソケット１６の外周に添わせると共に、短辺４２を本体１内に、長辺４３を本体１の開口部から下方に突出して位置させ、両側板４４を本体１の端板４と、第２の反射板４５の支持板４６との間に位置させて本体１内に挿入し、側板４４をねじ等３４により支持板４６に回動可能に支持させて、本体１に取付けられる。なお、２５は第１の反射板４０内において、ランプソケット１６に取付けられた光源（蛍光灯）である。
【０００６】
上記のような従来の照明装置においては、例えば図９に示すように、教室の天井５０に設置された照明装置により、壁面に取付けた黒板５１を照明する場合、黒板５１の高さ位置に応じて第１の反射板４０の角度を変えることにより、常に黒板５１の全面を照明できるようになっている。
すなわち、図９の高さ位置に黒板５１が設けられている場合は、第１の反射板４０を、例えば実線の位置に保持し、黒板５１の位置がこれより低い位置にある場合は、第１の反射板４０をねじ等３４を軸にソケット１６に沿って回動し、破線４０ａの位置に保持して黒板５１を照明する。また、黒板５１の位置が高い場合は、同様にして第１の反射板４０を回動し、破線４０ｂの位置に保持して黒板５１を照明する。
このように、被照明物の位置に応じて第１の反射板４０を回動し、常にその全面を照射する。
【０００７】
【発明が解決しようとする課題】
従来の照明装置は、本体１内に第１〜第３の３個の反射板４０，４５，４７等の部材が設けられているため、構造が複雑で製造が面倒であるばかりでなく、多くの材料を必要とするためコストが高くなるという問題があった。
また、ランプソケット１６が、本体１の端板４から離れた位置にある第２の反射板４５の支持板４６のさらに内側に設けられているので、端板４とランプソケット１６との間が離れている。このため、光源２５に通常の蛍光灯を使用する場合は、本体１の長さを長くしなければならず、一般の照明装置の本体を使用することができない。
さらに、第１の反射板４０はその長辺４３が本体１の開口部から大きく下方に突出しているため、物が当って変形したり破損したりするおそれがあり、意匠上も好ましくない。
【０００８】
本発明は、上記の課題を解決するためになされたもので、構造が簡単でコストを低減することができ、その上意匠的にも優れた照明装置を提供することを目的としたものである。
【０００９】
【課題を解決するための手段】
本発明に係る照明装置は、下面が開放された箱状の本体と、該本体とほぼ同じ長さで該本体内に収容された角度可変の反射板とを有し、頂部がほぼ円弧状の断面ほぼ直角三角形状に形成された反射板の前記頂部の近傍に設けられて前記反射板を前記本体の端板に着脱可能に固定する固定手段と、前記本体の端板の上下方向に設けられて前記反射板に設けた固定手段が係止する複数の係止穴と、前記反射板の背面側に設けたソケット取付具、及び前記頂部の内側に前記端板に近接して設けたランプソケットとを有し、前記反射板の固定手段に、背面側に設けた前記ソケット取付具に長手方向に摺動可能で常時端板側に付勢される可動軸を設け、該可動軸を前記本体の端板に設けた係止穴に着脱可能に挿入するように構成し、前記反射板を前記本体内に収容してその長辺を本体の側板の開口部側に設けたヒンジに連結したものである。
【００１３】
上記の可動軸につまみを設け、該つまみを反射板の内面に突出させて該反射板の内側から操作しうるように構成した。
【００１４】
【発明の実施の形態】
図１は本発明の一実施の形態に係る照明装置の縦断面図、図２は図１のＡ−Ａ断面図である。
両図において、１は図７の従来技術で説明したように、天板２、両側板３及び長手方向の両端部に設けられた端板４からなり、下面が開放された箱状の本体で、下端部（開放部側）の外周にはフランジ５が設けられている。なお、端板４の近傍の構造は、両端部とも同じなので、以下、一方の側について説明する。
【００１５】
端板４には、幅方向の中心部の両側に、下方から上方に向って順次中心部側に位置する複数の長穴６ａ，６ｂ，６ｃ、６ｄ，６ｅ，６ｆ（以下、係止穴といい、単に６と記すことがある）が所定の間隔で、かつ対称的に設けられている。なお、この係止穴６を３個ずつ設けた場合を示したが、２個ずつ以上であればよく、また、中心部に対して一方の側だけに設けてもよい。７は天板２の一方の隅部に設置された安定器、電源端子、非常用バッテリー等の電装品（図示せず）である。
【００１６】
１０は本体１の長手方向とほぼ同じ長さで本体１内に収容された反射板で、ほぼ円弧状の頂部１１と、その一方の側がほぼ垂直に下方に延設された短辺部１２と、他方の側がある角度で短辺部１２の下端部と同一平面上まで斜めに延設された長辺部１３とからなり、頂部１１がほぼ円弧状に形成された断面ほぼ直角三角形状に形成されている。そして、長辺部１３の先端部にはヒンジ部８が連結されており、ヒンジ部８はフランジ５に設けた穴５ａに挿入され、回動可能に構成されている。なお、この頂部１１は、必ずしも円弧状に形成する必要はなく、短辺部１２と長辺部１３を結ぶ直線状、山形状等に形成してもよい。
１５は反射板１０の頂部１１の背面側の端部に設けられ、一部が内面側に突出するソケット取付具で、反射板１０の内面側にはランプソケット１６が取付けられている。
【００１７】
２１はつまみ２２を有する可動軸で、図３に示すように、端板４に設けた係止穴６と、ソケット取付具１５に設けたガイド板１８ａ，１８ｂの挿通穴１９ａ，１９ｂに摺動可能に挿入されており、また、つまみ２２は反射板１０の長手方向に設けた摺動穴１７ａと、これと直交して設けた保持穴１７ｂとからなるＬ字状のガイド穴１７に摺動可能に挿入され、反射板１０の内面側に突出している。２３はソケット取付具１５のガイド板１８ｂと、可動軸２１のつまみ２２との間に介装されたばねで、可動軸２１を常時端板４方向に付勢しており、これらにより反射板１０の固定手段２０を構成する。２５は反射板１０の内面側においてランプソケット１６に装着された光源（蛍光灯）である。
【００１８】
次に、上記のように構成した本発明の作用について説明する。なお、以下の説明では、照明装置は天井に埋込まれており、壁面に設けた黒板を照明する場合の例を示す。
図１の状態では、可動軸２１は本体１の端板４の最下部に設けた係止穴６ａに挿入されており、つまみ２２は反射板１０に設けたガイド穴１７の保持穴１７ｂ内に挿入され、可動軸２１はその位置に保持されている。この状態では、反射板１０の短辺部１２と長辺部１３の下端部は、本体１の下端端部とほぼ同一平面上にあり、光源２５からは、床面に対して、例えばほぼ５５°方向に光を出力し、、反射板１０によって反射した光により図の左側にある黒板（図示せず）の全面が均一に照明される。
【００１９】
黒板が上記より若干下方に設置されている場合は、反射板１０の内側からつまみ２２を持って摺動穴１７ａ内を端板４から後退（図の右方）させて保持穴１７ｂ内に移動し、これと一体の可動軸２１をばね２３に抗して後退させて、端板４の係止穴６ａから離脱させる。そして、反射板１０をヒンジ８を軸に上方（矢印ａ方向）に回動させ、ソケット取付具１５のガイド板１８ａに設けた挿通穴１９ａを、端板４に設けた係止穴６ｂと整合させる。この状態でつまみ２２を摺動穴１７ａの後端部１７ｃに移動して手から離せば、可動軸２１はばね２３に付勢されて前進し、端板４の係止穴６ｂに挿入される。この状態を図４に示す。
【００２０】
また、現場等において反射板１０の角度を変える場合は、つまみ２２を摺動穴１７ａの後端部１７ｃへ移動させ、可動軸２１を後退させて係止穴６から離脱させたのち、反射板１０をソケット取付具１５のガイド板１８ａに設けた挿入穴１９ａが、当該係止穴６から離れるまで回動させてつまみ２２から手を離すようにしてもよい。これにより可動軸２１はばね２３に付勢されて前進し、端板４に当って停止する。この状態で反射板１０をさらに可動させれば、挿入穴１９ａが次の係止穴６と整合すると同時に可動軸２１が前進し、自動的に係止穴６に挿入される。
【００２１】
この状態では、光源２５が図１の場合より上方にあたり、光源２５から床面に対して例えばほぼ６０°の方向に光を出力し、図１の場合より下方にある黒板の全面を、反射板１０によって反射した光によって均一に照明する。
【００２２】
黒板が図４の場合よりさらに下方に設置されているときは、上述の手順により、図５に示すように、反射板１０をヒンジ８を軸にさらに矢印ａ方向に回動させて、可動軸２１を係止穴６ｃに挿入する。
これにより、光源２５は図４の場合よりさらに上方に位置して、床面に対してほぼ６５°の方向に光を出力し、図４の場合よりさらに下方にある黒板の全面を、反射板１０により反射した光によって均一に照明する。
【００２３】
上記の説明では、端板４の上下方向に３個の係止穴６を設け、この係止穴６のいずれかに反射板１０に設けた可動軸２１を結合して、光源２５から出力する光の角度を５５°，６６°，６５°に変える場合を示したが、係止穴６の数は２個以上であればよく、また、出力する光の角度も係止穴６の位置を変えることにより適宜設定することができる。
【００２４】
また、上記の説明では、反射板１０を、頂部１１を電装品の反対側に位置させて本体１内に収容した場合を示したが、頂部１１を電装品側に位置させて本体１内に収容し、長辺部１３の先端部のヒンジ部８を他方の側のフランジ５に設けた穴５ａに取付けるようにしてもよい。
さらに、本発明により黒板を照明する場合について説明したが、これに限定するものではなく、本発明に係る照明装置によれば、各種の被照明物を照明することができる。
【００２５】
上記のように構成した本発明によれば、反射板１０は１個だけでよいので従来装置に比べて構造が簡単で部品数が少なくなり、このため製造が簡単でコストを低減することができる。
また、ランプソケット１６を本体１の端板４に近接して設けたので、特別な寸法の本体を別に設ける必要がなく、一般の照明装置の本体をそのまま用いることができる。
【００２６】
さらに、係止穴６を端板４の中心部の両側にそれぞれ設ければ、端板４を本体１に取付ける際に、左右いずれでもよいので互換性を有する。また、反射板１０を前後を逆にして本体１内に収容し取付けることもできる。
また、反射板１０はどのような角度に変えても常に本体１内に位置し、本体１から外部に突出することがないので、物などが当って変形したり破損したりするおそれがなく、その上意匠的にすぐれた照明装置を得ることができる。
【００２７】
【発明の効果】
本発明によれば、構造が簡単で製造が容易であり、コストを低減することができる。
また、反射板はどのような角度に変えても本体から外部に突出することがないので、物が当って変形したり破損したりするおそれがなく、その上意匠的にすぐれた照明装置を得ることができる。
また、反射板の角度の変更が容易で、かつその位置に確実に固定することができる。
【００３２】
また、照明装置の可動軸につまみを設け、このつまみを反射板の内面側に突出させて反射板の内側から操作しうるように構成したので、照明装置を天井等に設置したままの状態で固定手段を容易に操作することができる。
【図面の簡単な説明】
【図１】  本発明の一実施の形態に係る照明装置の縦断面図である。
【図２】  図１のＡ−Ａ断面図である。
【図３】  図１の固定手段の縦断面図及びその下面図である。
【図４】  本発明の作用説明図である。
【図５】  本発明の作用説明図である。
【図６】  従来の照明装置の一例の斜視図である。
【図７】  図６の縦断面図である。
【図８】  図７のＢ−Ｂ断面図である。
【図９】  図６の作用説明図である。
【符号の説明】
１  本体、４  端板、６  係止穴、８  ヒンジ、１０  反射板、１１  頂部、１２  短辺部、１３  長辺部、１５  ソケット取付具、１６  ランプソケット、２０  固定手段、２１  可動軸、２２  つまみ、２３  ばね、２５  光源。
【図１】
0004519347.tif 000002
【図２】
0004519347.tif 000003
【図３】
0004519347.tif 000004
【図４】
0004519347.tif 000005
【図５】
0004519347.tif 000006
【図６】
0004519347.tif 000007
【図７】
0004519347.tif 000008
【図８】
0004519347.tif 000009
【図９】
0004519347.tif 000010